(57)【要約】【課題】本発明は仕切り式コップを開示した。【解決手段】コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。【選択図】図１
2020175143.tif 000002
【特許請求の範囲】
【請求項１】
正面視で、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝を例にし、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができることを特徴とする仕切り式コップ。
【請求項２】
前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができることを特徴とする請求項１に記載の仕切り式コップ。
【請求項３】
前記コップ本体の中には前記中心チャンバを中心に上方に開口した四つの飲み物溝が排列に分布しており、前記飲み物溝が大型孔により前記中心チャンバと連通しており、前記円柱ブロックの下端が前記飲み物溝の中に位置しており、且つ前記飲み物溝を密封し、前記コップ本体の外端面には弓形ブロックが固定的に設けられ、前記弓形ブロックの中には環状溝が設けられ、前記環状溝の中には弓形磁石がスライドできるように設けられ、前記弓形磁石の左端面には前記大弓形板の左端面と固定的に連結されたＵ型磁石が固定的に設けられ、また、前記弓形磁石と前記Ｕ型磁石とが磁力によって引き合い、前記Ｕ型磁石を前記弓形磁石から取り出すことができることを特徴とする請求項１に記載の仕切り式コップ。
【発明の詳細な説明】
【技術分野】
【０００１】
本発明はコップ分野を取り上げて、具体的には仕切り式コップである。
【背景技術】
【０００２】
仕切り式コップは異なる種類の飲み物を入れるため、コップの内部空間をいくつかの部分に仕切るコップであるが、現有のほとんどの仕切り式コップは簡単に仕切られただけであり、一種の飲み物を飲む時に外の飲み物が味を邪魔し、また機能が比較的に簡単であり、美観の作用を果たすだけである。
【先行技術文献】
【特許文献】
【０００３】
【特許文献１】中国特許出願公開第104223885号明細書
【発明の概要】
【発明が解決しようとする課題】
【０００４】
本発明の目的は仕切り式コップを提供し、それは上記の現在の技術中の問題を解決できる。
【課題を解決するための手段】
【０００５】
上記の課題を解決するため、本発明は以下の技術プランを採用する：本発明の仕切り式コップは、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝を例にし、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができる。
【０００６】
優選の技術プランとして、前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができる。
【０００７】
優選の技術プランとして、前記コップ本体の中には前記中心チャンバを中心に上方に開口した四つの飲み物溝が排列に分布しており、前記飲み物溝が大型孔により前記中心チャンバと連通しており、前記円柱ブロックの下端が前記飲み物溝の中に位置しており、且つ前記飲み物溝を密封し、前記コップ本体の外端面には弓形ブロックが固定的に設けられ、前記弓形ブロックの中には環状溝が設けられ、前記環状溝の中には弓形磁石がスライドできるように設けられ、前記弓形磁石の左端面には前記大弓形板の左端面と固定的に連結されたＵ型磁石が固定的に設けられ、また、前記弓形磁石と前記Ｕ型磁石とが磁力によって引き合い、前記Ｕ型磁石を前記弓形磁石から取り出すことができる。
【発明の効果】
【０００８】
本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の仕切り式コップの全体断面の正面構成略図
【図２】図２は図１のＡの拡大構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の仕切り式コップは、コップ本体１０を含み、前記コップ本体１０の中には上方に開口した中心チャンバ１３が設けられ、前記中心チャンバ１３の中には吸い取り機構６０が設けられ、前記吸い取り機構６０は前記中心チャンバ１３とスライドできるように連結された太い円管１４を含み、前記太い円管１４の上端面が外部に位置しており、且つ前記太い円管１４の上端面には大弓形板３４が固定的に設けられ、前記大弓形板３４の中には前記大弓形板３４の上下端面を貫通した細い溝４６が設けられ、前記太い円管１４の中には上端壁が前記細い溝４６を連通した円柱溝１１が設けられ、前記円柱溝１１の右端壁が中型孔３１により前記中心チャンバ１３に連通しており、前記円柱溝１１の中には細い円管３０がスライドできるように設けられ、前記細い円管３０の中には縦溝３３が設けられ、前記縦溝３３の右端壁が小型孔２９により前記円柱溝１１に連通しており、前記細い円管３０の上端面には上端が前記細い溝４６を貫通した小円柱２６が固定的に設けられ、前記小円柱２６の中には上方に開口した短溝４５が設けられ、前記縦溝３３の上端壁には上端が前記短溝４５を貫通したストロー２８が嵌設され、前記小円柱２６の上側には中空ブロック４２が設けられ、前記中空ブロック４２の中には下方に開口した運動溝３８が設けられ、前記小円柱２６の上端が前記運動溝３８の中に位置しており、前記運動溝３８の中において小円柱２６の左端面には弾性溝３７が設けられ、前記弾性溝３７の上端壁には弾性バネ３６が固定的に設けられ、前記弾性バネ３６の下端には左端が前記運動溝３８の左端壁と固定的に連結された短ロッド３５が固定的に設けられ、前記中空ブロック４２の上端面には縦ロッド３９が固定的に設けられ、前記中空ブロック４２の右端面には横ロッド４３が固定的に設けられ、前記大弓形板３４の上端面には定位ブロック４４が左右に対称的に固定的に設けられ、前記吸い取り機構６０の上側には切り替え機構６１が設けられ、前記切り替え機構６１は三つの均一に分布した円溝２５を含み、前記円溝２５が前記大弓形板３４の上下端面を貫通しており、左側の前記円溝２５を例にし、左側の前記円溝２５の左端壁には弾力溝２０が設けられ、前記弾力溝２０の上端壁には弾力バネ２１が固定的に設けられ、前記弾力バネ２１の下端壁には前記弾力溝２０とスライドできるように連結された弾力ブロック１９が固定的に設けられ、前記弾力ブロック１９の右端面には右端が前記円溝２５の中に位置している弾力ロッド１８が固定的に設けられ、前記弾力ロッド１８の右端には前記円溝２５の上下端壁を貫通した円柱ブロック２２が固定的に設けられ、また、前記横ロッド４３と前記定位ブロック４４との止めにより、前記中空ブロック４２を回転させて前記大弓形板３４を回転連動させることができる。
【００１３】
有益的には、前記切り替え機構６１は前記中空ブロック４２の上側に位置している小弓形板２４も含み、前記小弓形板２４の下端面には前記円柱ブロック２２の上端面と固定的に連結された三つの支持ロッド２３が均一に固定的に設けられ、前記小弓形板２４の中には下方に開口した薄い溝４１が設けられ、前記薄い溝４１の左右端壁には二つの仕切りロッド４０が対称的に設けられ、また、前記縦ロッド３９が上昇して前記小弓形板２４をプッシュして上昇させることができ、前記支持ロッド２３により前記円柱ブロック２２を引き動かして上昇させることができる。
【００１４】
有益的には、前記コップ本体１０の中には前記中心チャンバ１３を中心に上方に開口した四つの飲み物溝１２が排列に分布しており、前記飲み物溝１２が大型孔３２により前記中心チャンバ１３と連通しており、前記円柱ブロック２２の下端が前記飲み物溝１２の中に位置しており、且つ前記飲み物溝１２を密封し、前記コップ本体１０の外端面には弓形ブロック１５が固定的に設けられ、前記弓形ブロック１５の中には環状溝２７が設けられ、前記環状溝２７の中には弓形磁石がスライドできるように設けられ、前記弓形磁石の左端面には前記大弓形板３４の左端面と固定的に連結されたＵ型磁石１７が固定的に設けられ、また、前記弓形磁石と前記Ｕ型磁石１７とが磁力によって引き合い、前記Ｕ型磁石１７を前記弓形磁石から取り出すことができる。
【００１５】
以下、図１〜４と上記に説明した本出願の仕切り式コップの具体的な構成とを合わせて本出願の仕切り式コップの使用方法を詳しく説明する：
【００１６】
Ｕ型磁石１７を弓形磁石から取り出し、四つの飲み物溝１２の中に異なる種類の飲み物を入れ、そしてＵ型磁石１７を弓形磁石に吸着させ、大弓形板３４の開口から対応した飲み物溝１２の中の飲み物を出して飲み、またはストロー２８により同じの飲み物溝１２の中の飲み物を飲み、中空ブロック４２を回転させ、短ロッド３５と小円柱２６との止めにより、細い円管３０を回転連動させることができ、これにより小型孔２９が中型孔３１に連通しなくなり、ストロー２８により対応した飲み物を飲むことができなくなり、別種類の飲み物に変えて飲む時、小弓形板２４を引き動かして上昇させ、縦ロッド３９を上昇連動させ、これにより小弓形板２４をプッシュして上昇させ、円柱ブロック２２を飲み物溝１２から離脱させ、横ロッド４３を定位ブロック４４から離脱させ、中空ブロック４２を回転させ、縦ロッド３９と仕切りロッド４０との止めにより、大弓形板３４を回転連動させ、大弓形板３４の開口を飲みたい飲み物と合わせ、これにより対応した飲み物を飲むことができる。
【００１７】
本発明の有益効果は：本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175143.tif 000003
【図２】
2020175143.tif 000004
【図３】
2020175143.tif 000005
【図４】
2020175143.tif 000006
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
正面視で、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができることを特徴とする仕切り式コップ。
【請求項２】
前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができることを特徴とする請求項１に記載の仕切り式コップ。
【請求項３】
前記コップ本体の中には上方に開口する貯蔵空間が四つ設けられ、前記貯蔵空間が大型孔により前記中心チャンバと連通しており、前記円柱ブロックの下端が前記貯蔵空間の中に位置しており、且つ前記貯蔵空間を密封し、前記コップ本体の外端面には弓形ブロックが固定的に設けられ、前記弓形ブロックの中には環状溝が設けられ、前記環状溝の中には磁石ブロックがスライドできるように設けられ、前記磁石ブロックの左端面には前記大弓形板の左端面と固定的に連結されたＵ型磁石が固定的に設けられ、また、前記磁石ブロックと前記Ｕ型磁石とが磁力によって引き合い、前記Ｕ型磁石を前記磁石ブロックから取り出すことができることを特徴とする請求項１に記載の仕切り式コップ。
【手続補正２】
【補正対象書類名】明細書
【補正対象項目名】全文
【補正方法】変更
【補正の内容】
【発明の詳細な説明】
【技術分野】
【０００１】
本発明はコップ分野を取り上げて、具体的には仕切り式コップである。
【背景技術】
【０００２】
仕切り式コップは異なる種類の飲み物を入れるため、コップの内部空間をいくつかの部分に仕切るコップであるが、現有のほとんどの仕切り式コップは簡単に仕切られただけであり、一種の飲み物を飲む時に外の飲み物が味を邪魔し、また機能が比較的に簡単であり、美観の作用を果たすだけである。
【先行技術文献】
【特許文献】
【０００３】
【特許文献１】中国特許出願公開第１０４２２３８８５号明細書
【発明の概要】
【発明が解決しようとする課題】
【０００４】
本発明の目的は仕切り式コップを提供し、それは上記の現在の技術中の問題を解決できる。
【課題を解決するための手段】
【０００５】
上記の課題を解決するため、本発明は以下の技術プランを採用する：本発明の仕切り式コップは、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができる。
【０００６】
優選の技術プランとして、前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができる。
【０００７】
優選の技術プランとして、前記コップ本体の中には上方に開口する貯蔵空間が四つ設けられ、前記貯蔵空間が大型孔により前記中心チャンバと連通しており、前記円柱ブロックの下端が前記貯蔵空間の中に位置しており、且つ前記貯蔵空間を密封し、前記コップ本体の外端面には弓形ブロックが固定的に設けられ、前記弓形ブロックの中には環状溝が設けられ、前記環状溝の中には磁石ブロックがスライドできるように設けられ、前記磁石ブロックの左端面には前記大弓形板の左端面と固定的に連結されたＵ型磁石が固定的に設けられ、また、前記磁石ブロックと前記Ｕ型磁石とが磁力によって引き合い、前記Ｕ型磁石を前記磁石ブロックから取り出すことができる。
【発明の効果】
【０００８】
本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の仕切り式コップの全体断面の正面構成略図
【図２】図２は図１のＡの拡大構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の仕切り式コップは、コップ本体１０を含み、前記コップ本体１０の中には上方に開口した中心チャンバ１３が設けられ、前記中心チャンバ１３の中には吸い取り機構６０が設けられ、前記吸い取り機構６０は前記中心チャンバ１３とスライドできるように連結された太い円管１４を含み、前記太い円管１４の上端面が外部に位置しており、且つ前記太い円管１４の上端面には大弓形板３４が固定的に設けられ、前記大弓形板３４の中には前記大弓形板３４の上下端面を貫通した細い溝４６が設けられ、前記太い円管１４の中には上端壁が前記細い溝４６を連通した円柱溝１１が設けられ、前記円柱溝１１の右端壁が中型孔３１により前記中心チャンバ１３に連通しており、前記円柱溝１１の中には細い円管３０がスライドできるように設けられ、前記細い円管３０の中には縦溝３３が設けられ、前記縦溝３３の右端壁が小型孔２９により前記円柱溝１１に連通しており、前記細い円管３０の上端面には上端が前記細い溝４６を貫通した小円柱２６が固定的に設けられ、前記小円柱２６の中には上方に開口した短溝４５が設けられ、前記縦溝３３の上端壁には上端が前記短溝４５を貫通したストロー２８が嵌設され、前記小円柱２６の上側には中空ブロック４２が設けられ、前記中空ブロック４２の中には下方に開口した運動溝３８が設けられ、前記小円柱２６の上端が前記運動溝３８の中に位置しており、前記運動溝３８の中において小円柱２６の左端面には弾性溝３７が設けられ、前記弾性溝３７の上端壁には弾性バネ３６が固定的に設けられ、前記弾性バネ３６の下端には左端が前記運動溝３８の左端壁と固定的に連結された短ロッド３５が固定的に設けられ、前記中空ブロック４２の上端面には縦ロッド３９が固定的に設けられ、前記中空ブロック４２の右端面には横ロッド４３が固定的に設けられ、前記大弓形板３４の上端面には定位ブロック４４が左右に対称的に固定的に設けられ、前記吸い取り機構６０の上側には切り替え機構６１が設けられ、前記切り替え機構６１は三つの均一に分布した円溝２５を含み、前記円溝２５が前記大弓形板３４の上下端面を貫通しており、左側の前記円溝２５の左端壁には弾力溝２０が設けられ、前記弾力溝２０の上端壁には弾力バネ２１が固定的に設けられ、前記弾力バネ２１の下端壁には前記弾力溝２０とスライドできるように連結された弾力ブロック１９が固定的に設けられ、前記弾力ブロック１９の右端面には右端が前記円溝２５の中に位置している弾力ロッド１８が固定的に設けられ、前記弾力ロッド１８の右端には前記円溝２５の上下端壁を貫通した円柱ブロック２２が固定的に設けられ、また、前記横ロッド４３と前記定位ブロック４４との止めにより、前記中空ブロック４２を回転させて前記大弓形板３４を回転連動させることができる。
【００１３】
有益的には、前記切り替え機構６１は前記中空ブロック４２の上側に位置している小弓形板２４も含み、前記小弓形板２４の下端面には前記円柱ブロック２２の上端面と固定的に連結された三つの支持ロッド２３が均一に固定的に設けられ、前記小弓形板２４の中には下方に開口した薄い溝４１が設けられ、前記薄い溝４１の左右端壁には二つの仕切りロッド４０が対称的に設けられ、また、前記縦ロッド３９が上昇して前記小弓形板２４をプッシュして上昇させることができ、前記支持ロッド２３により前記円柱ブロック２２を引き動かして上昇させることができる。
【００１４】
有益的には、前記コップ本体１０の中には上方に開口する貯蔵空間１２が四つ設けられ、前記貯蔵空間１２が大型孔３２により前記中心チャンバ１３と連通しており、前記円柱ブロック２２の下端が前記貯蔵空間１２の中に位置しており、且つ前記貯蔵空間１２を密封し、前記コップ本体１０の外端面には弓形ブロック１５が固定的に設けられ、前記弓形ブロック１５の中には環状溝２７が設けられ、前記環状溝２７の中には磁石ブロックがスライドできるように設けられ、前記磁石ブロックの左端面には前記大弓形板３４の左端面と固定的に連結されたＵ型磁石１７が固定的に設けられ、また、前記磁石ブロックと前記Ｕ型磁石１７とが磁力によって引き合い、前記Ｕ型磁石１７を前記磁石ブロックから取り出すことができる。
【００１５】
以下、図１〜４と上記に説明した本出願の仕切り式コップの具体的な構成とを合わせて本出願の仕切り式コップの使用方法を詳しく説明する：
【００１６】
Ｕ型磁石１７を磁石ブロックから取り出し、四つの貯蔵空間１２の中に異なる種類の飲み物を入れ、そしてＵ型磁石１７を磁石ブロックに吸着させ、大弓形板３４の開口から対応した貯蔵空間１２の中の飲み物を出して飲み、またはストロー２８により同じの貯蔵空間１２の中の飲み物を飲み、中空ブロック４２を回転させ、短ロッド３５と小円柱２６との止めにより、細い円管３０を回転連動させることができ、これにより小型孔２９が中型孔３１に連通しなくなり、ストロー２８により対応した飲み物を飲むことができなくなり、別種類の飲み物に変えて飲む時、小弓形板２４を引き動かして上昇させ、縦ロッド３９を上昇連動させ、これにより小弓形板２４をプッシュして上昇させ、円柱ブロック２２を貯蔵空間１２から離脱させ、横ロッド４３を定位ブロック４４から離脱させ、中空ブロック４２を回転させ、縦ロッド３９と仕切りロッド４０との止めにより、大弓形板３４を回転連動させ、大弓形板３４の開口を飲みたい飲み物と合わせ、これにより対応した飲み物を飲むことができる。
【００１７】
本発明の有益効果は：本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
正面視で、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができることを特徴とする仕切り式コップ。
【請求項２】
前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができることを特徴とする請求項１に記載の仕切り式コップ。
【請求項３】
前記コップ本体の中には上方に開口する貯蔵空間が四つ設けられ、前記貯蔵空間が大型孔により前記中心チャンバと連通しており、前記円柱ブロックの下端が前記貯蔵空間の中に位置しており、且つ前記貯蔵空間を密封し、前記コップ本体の外端面には弓形ブロックが固定的に設けられ、前記弓形ブロックの中には環状溝が設けられ、前記環状溝の中には弓形磁石がスライドできるように設けられ、前記弓形磁石の左端面には前記大弓形板の左端面と固定的に連結されたＵ型磁石が固定的に設けられ、また、前記弓形磁石と前記Ｕ型磁石とが磁力によって引き合い、前記Ｕ型磁石を前記弓形磁石から取り出すことができることを特徴とする請求項１に記載の仕切り式コップ。
【手続補正２】
【補正対象書類名】明細書
【補正対象項目名】全文
【補正方法】変更
【補正の内容】
【発明の詳細な説明】
【技術分野】
【０００１】
本発明はコップ分野を取り上げて、具体的には仕切り式コップである。
【背景技術】
【０００２】
仕切り式コップは異なる種類の飲み物を入れるため、コップの内部空間をいくつかの部分に仕切るコップであるが、現有のほとんどの仕切り式コップは簡単に仕切られただけであり、一種の飲み物を飲む時に外の飲み物が味を邪魔し、また機能が比較的に簡単であり、美観の作用を果たすだけである。
【先行技術文献】
【特許文献】
【０００３】
【特許文献１】中国特許出願公開第１０４２２３８８５号明細書
【発明の概要】
【発明が解決しようとする課題】
【０００４】
本発明の目的は仕切り式コップを提供し、それは上記の現在の技術中の問題を解決できる。
【課題を解決するための手段】
【０００５】
上記の課題を解決するため、本発明は以下の技術プランを採用する：本発明の仕切り式コップは、コップ本体を含み、前記コップ本体の中には上方に開口した中心チャンバが設けられ、前記中心チャンバの中には吸い取り機構が設けられ、前記吸い取り機構は前記中心チャンバとスライドできるように連結された太い円管を含み、前記太い円管の上端面が外部に位置しており、且つ前記太い円管の上端面には大弓形板が固定的に設けられ、前記大弓形板の中には前記大弓形板の上下端面を貫通した細い溝が設けられ、前記太い円管の中には上端壁が前記細い溝を連通した円柱溝が設けられ、前記円柱溝の右端壁が中型孔により前記中心チャンバに連通しており、前記円柱溝の中には細い円管がスライドできるように設けられ、前記細い円管の中には縦溝が設けられ、前記縦溝の右端壁が小型孔により前記円柱溝に連通しており、前記細い円管の上端面には上端が前記細い溝を貫通した小円柱が固定的に設けられ、前記小円柱の中には上方に開口した短溝が設けられ、前記縦溝の上端壁には上端が前記短溝を貫通したストローが嵌設され、前記小円柱の上側には中空ブロックが設けられ、前記中空ブロックの中には下方に開口した運動溝が設けられ、前記小円柱の上端が前記運動溝の中に位置しており、前記運動溝の中において小円柱の左端面には弾性溝が設けられ、前記弾性溝の上端壁には弾性バネが固定的に設けられ、前記弾性バネの下端には左端が前記運動溝の左端壁と固定的に連結された短ロッドが固定的に設けられ、前記中空ブロックの上端面には縦ロッドが固定的に設けられ、前記中空ブロックの右端面には横ロッドが固定的に設けられ、前記大弓形板の上端面には定位ブロックが左右に対称的に固定的に設けられ、前記吸い取り機構の上側には切り替え機構が設けられ、前記切り替え機構は三つの均一に分布した円溝を含み、前記円溝が前記大弓形板の上下端面を貫通しており、左側の前記円溝の左端壁には弾力溝が設けられ、前記弾力溝の上端壁には弾力バネが固定的に設けられ、前記弾力バネの下端壁には前記弾力溝とスライドできるように連結された弾力ブロックが固定的に設けられ、前記弾力ブロックの右端面には右端が前記円溝の中に位置している弾力ロッドが固定的に設けられ、前記弾力ロッドの右端には前記円溝の上下端壁を貫通した円柱ブロックが固定的に設けられ、また、前記横ロッドと前記定位ブロックとの止めにより、前記中空ブロックを回転させて前記大弓形板を回転連動させることができる。
【０００６】
優選の技術プランとして、前記切り替え機構は前記中空ブロックの上側に位置している小弓形板も含み、前記小弓形板の下端面には前記円柱ブロックの上端面と固定的に連結された三つの支持ロッドが均一に固定的に設けられ、前記小弓形板の中には下方に開口した薄い溝が設けられ、前記薄い溝の左右端壁には二つの仕切りロッドが対称的に設けられ、また、前記縦ロッドが上昇して前記小弓形板をプッシュして上昇させることができ、前記支持ロッドにより前記円柱ブロックを引き動かして上昇させることができる。
【０００７】
優選の技術プランとして、前記コップ本体の中には上方に開口する貯蔵空間が四つ設けられ、前記貯蔵空間が大型孔により前記中心チャンバと連通しており、前記円柱ブロックの下端が前記貯蔵空間の中に位置しており、且つ前記貯蔵空間を密封し、前記コップ本体の外端面には弓形ブロックが固定的に設けられ、前記弓形ブロックの中には環状溝が設けられ、前記環状溝の中には弓形磁石がスライドできるように設けられ、前記弓形磁石の左端面には前記大弓形板の左端面と固定的に連結されたＵ型磁石が固定的に設けられ、また、前記弓形磁石と前記Ｕ型磁石とが磁力によって引き合い、前記Ｕ型磁石を前記弓形磁石から取り出すことができる。
【発明の効果】
【０００８】
本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の仕切り式コップの全体断面の正面構成略図
【図２】図２は図１のＡの拡大構成略図
【図３】図３は図１のＢ―Ｂの構成略図
【図４】図４は図１のＣ―Ｃの構成略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４を参照し、本発明の仕切り式コップは、コップ本体１０を含み、前記コップ本体１０の中には上方に開口した中心チャンバ１３が設けられ、前記中心チャンバ１３の中には吸い取り機構６０が設けられ、前記吸い取り機構６０は前記中心チャンバ１３とスライドできるように連結された太い円管１４を含み、前記太い円管１４の上端面が外部に位置しており、且つ前記太い円管１４の上端面には大弓形板３４が固定的に設けられ、前記大弓形板３４の中には前記大弓形板３４の上下端面を貫通した細い溝４６が設けられ、前記太い円管１４の中には上端壁が前記細い溝４６を連通した円柱溝１１が設けられ、前記円柱溝１１の右端壁が中型孔３１により前記中心チャンバ１３に連通しており、前記円柱溝１１の中には細い円管３０がスライドできるように設けられ、前記細い円管３０の中には縦溝３３が設けられ、前記縦溝３３の右端壁が小型孔２９により前記円柱溝１１に連通しており、前記細い円管３０の上端面には上端が前記細い溝４６を貫通した小円柱２６が固定的に設けられ、前記小円柱２６の中には上方に開口した短溝４５が設けられ、前記縦溝３３の上端壁には上端が前記短溝４５を貫通したストロー２８が嵌設され、前記小円柱２６の上側には中空ブロック４２が設けられ、前記中空ブロック４２の中には下方に開口した運動溝３８が設けられ、前記小円柱２６の上端が前記運動溝３８の中に位置しており、前記運動溝３８の中において小円柱２６の左端面には弾性溝３７が設けられ、前記弾性溝３７の上端壁には弾性バネ３６が固定的に設けられ、前記弾性バネ３６の下端には左端が前記運動溝３８の左端壁と固定的に連結された短ロッド３５が固定的に設けられ、前記中空ブロック４２の上端面には縦ロッド３９が固定的に設けられ、前記中空ブロック４２の右端面には横ロッド４３が固定的に設けられ、前記大弓形板３４の上端面には定位ブロック４４が左右に対称的に固定的に設けられ、前記吸い取り機構６０の上側には切り替え機構６１が設けられ、前記切り替え機構６１は三つの均一に分布した円溝２５を含み、前記円溝２５が前記大弓形板３４の上下端面を貫通しており、左側の前記円溝２５の左端壁には弾力溝２０が設けられ、前記弾力溝２０の上端壁には弾力バネ２１が固定的に設けられ、前記弾力バネ２１の下端壁には前記弾力溝２０とスライドできるように連結された弾力ブロック１９が固定的に設けられ、前記弾力ブロック１９の右端面には右端が前記円溝２５の中に位置している弾力ロッド１８が固定的に設けられ、前記弾力ロッド１８の右端には前記円溝２５の上下端壁を貫通した円柱ブロック２２が固定的に設けられ、また、前記横ロッド４３と前記定位ブロック４４との止めにより、前記中空ブロック４２を回転させて前記大弓形板３４を回転連動させることができる。
【００１３】
有益的には、前記切り替え機構６１は前記中空ブロック４２の上側に位置している小弓形板２４も含み、前記小弓形板２４の下端面には前記円柱ブロック２２の上端面と固定的に連結された三つの支持ロッド２３が均一に固定的に設けられ、前記小弓形板２４の中には下方に開口した薄い溝４１が設けられ、前記薄い溝４１の左右端壁には二つの仕切りロッド４０が対称的に設けられ、また、前記縦ロッド３９が上昇して前記小弓形板２４をプッシュして上昇させることができ、前記支持ロッド２３により前記円柱ブロック２２を引き動かして上昇させることができる。
【００１４】
有益的には、前記コップ本体１０の中には上方に開口する貯蔵空間１２が四つ設けられ、前記貯蔵空間１２が大型孔３２により前記中心チャンバ１３と連通しており、前記円柱ブロック２２の下端が前記貯蔵空間１２の中に位置しており、且つ前記貯蔵空間１２を密封し、前記コップ本体１０の外端面には弓形ブロック１５が固定的に設けられ、前記弓形ブロック１５の中には環状溝２７が設けられ、前記環状溝２７の中には弓形磁石がスライドできるように設けられ、前記弓形磁石の左端面には前記大弓形板３４の左端面と固定的に連結されたＵ型磁石１７が固定的に設けられ、また、前記弓形磁石と前記Ｕ型磁石１７とが磁力によって引き合い、前記Ｕ型磁石１７を前記弓形磁石から取り出すことができる。
【００１５】
以下、図１〜４と上記に説明した本出願の仕切り式コップの具体的な構成とを合わせて本出願の仕切り式コップの使用方法を詳しく説明する：
【００１６】
Ｕ型磁石１７を弓形磁石から取り出し、四つの貯蔵空間１２の中に異なる種類の飲み物を入れ、そしてＵ型磁石１７を弓形磁石に吸着させ、大弓形板３４の開口から対応した貯蔵空間１２の中の飲み物を出して飲み、またはストロー２８により同じの貯蔵空間１２の中の飲み物を飲み、中空ブロック４２を回転させ、短ロッド３５と小円柱２６との止めにより、細い円管３０を回転連動させることができ、これにより小型孔２９が中型孔３１に連通しなくなり、ストロー２８により対応した飲み物を飲むことができなくなり、別種類の飲み物に変えて飲む時、小弓形板２４を引き動かして上昇させ、縦ロッド３９を上昇連動させ、これにより小弓形板２４をプッシュして上昇させ、円柱ブロック２２を貯蔵空間１２から離脱させ、横ロッド４３を定位ブロック４４から離脱させ、中空ブロック４２を回転させ、縦ロッド３９と仕切りロッド４０との止めにより、大弓形板３４を回転連動させ、大弓形板３４の開口を飲みたい飲み物と合わせ、これにより対応した飲み物を飲むことができる。
【００１７】
本発明の有益効果は：本装置は四種類の飲み物を入れることができ、必要の時に自由に切り替えることができ、使用者に異なる味の飲み物を提供することができ、また直接に飲みとストローによる飲みとの二つの飲み方があり、異なる使用者が異なる場所で自由に使用することができ、融通性が高く、また全体の設計が斬新である。
【００１８】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。